(57)【要約】  調湿装置のメンテナンス性を高めること等を目的とする。吸着熱交換器（３１，３２）によって室外空気及び室内空気の一方を除湿し他方を加湿した後、室外空気を室内に供給し室内空気を室外に排出する調湿装置であって、ケーシング（１１Ａ，１１Ｂ）と、吸着熱交換器（３１，３２）、圧縮機（２７）、冷媒の循環方向の切換機構（２６）、及び冷媒配管（２９）を有する冷媒回路（１２）と、ファン（３４，３５）と、電装品ユニット（１５）とを備え、ケーシング（１１）がファン（３４，３５）、切換機構（２６）、及び電装品ユニット（１５）が配置された第１ケーシング（１１Ａ）と、吸着熱交換器（３１，３２）が配置された第２ケーシング（１１Ｂ）とからなり、第１ケーシング（１１Ａ）と第２ケーシング（１１Ｂ）とがダクト（Ｄ５，Ｄ６）を介して接続される。
2014038471.tif 000002
【特許請求の範囲】
【請求項１】
空気の水分を吸着する吸着剤が担持された吸着熱交換器（３１，３２）によって室外空気及び室内空気の一方を除湿し他方を加湿した後、当該室外空気を室内に供給し当該室内空気を室外に排出する調湿装置であって、
ケーシング（１１Ａ，１１Ｂ）と、
前記吸着熱交換器（３１，３２）、冷媒を循環させる圧縮機（２７）、冷媒の循環方向を切り換える切換機構（２６）、及びこれらを接続する冷媒配管（２９）を有している冷媒回路（１２）と、
前記ケーシング（１１Ａ，１１Ｂ）内に室外空気及び室内空気をそれぞれ取り入れるファン（３４，３５）と、
当該調湿装置（１０）の制御部品を含む電装品ユニット（１５）と、を備えており、
前記ケーシング（１１Ａ，１１Ｂ）が、前記ファン（３４，３５）、前記切換機構（２６）、及び前記電装品ユニット（１５）が配置された第１ケーシング（１１Ａ）と、
前記吸着熱交換器（３１，３２）が配置された第２ケーシング（１１Ｂ）と、からなり、
前記第１ケーシング（１１Ａ）と前記第２ケーシング（１１Ｂ）とがダクト（Ｄ５，Ｄ６）を介して相互に接続されていることを特徴とする調湿装置。
【請求項２】
前記第１ケーシング（１１Ａ）に、室内へ空気を供給するための給気吹出口（５４）、及び室外へ空気を排出するための排気吹出口（５２）が形成され、
前記第２ケーシング（１１Ｂ）に、室外空気を取り入れるための外気取入口（５１）、及び室内空気を取り入れるための内気取入口（５３）が形成されている、請求項１に記載の調湿装置。
【請求項３】
前記第１ケーシング（１１Ａ）に、室外空気を取り入れるための外気取入口（５１）、及び室内空気を取り入れるための内気取入口（５３）が形成され、
前記第２ケーシング（１１Ｂ）に、室内へ空気を供給するための給気吹出口（５４）、及び室外へ空気を排出するための排気吹出口（５２）が形成されている、請求項１に記載の調湿装置。
【請求項４】
前記第１ケーシング（１１Ａ）内における各ファン（３４，３５）の吸込側にエアフィルタ（７１）が設けられている、請求項３に記載の調湿装置。
【請求項５】
前記ダクト（Ｄ５，Ｄ６）は、前記外気取入口（５１）から前記第２ケーシング（１１Ｂ）内に取り入れられた室外空気を前記第１ケーシング（１１Ａ）内へ導入させる外気用ダクト（Ｄ５）と、前記内気取入口（５３）から前記第２ケーシング（１１Ａ）内に取り入れられた室内空気を前記第１ケーシング（１１Ａ）内へ導入させる内気用ダクト（Ｄ６）とからなる、請求項２に記載の調湿装置。
【請求項６】
前記ダクト（Ｄ５，Ｄ６）は、前記外気取入口（５１）から前記第１ケーシング（１１Ａ）内に取り入れられた室外空気を前記第２ケーシング（１１Ｂ）内へ導入させる外気用ダクト（Ｄ５）と、前記内気取入口（５３）から前記第１ケーシング（１１Ａ）内に取り入れられた室内空気を前記第２ケーシング（１１Ｂ）内へ導入させる内気用ダクト（Ｄ６）とからなる、請求項３又は４に記載の調湿装置。
【請求項７】
前記圧縮機（２７）が、前記第１ケーシング（１１Ａ）から引き出された冷媒配管（２９）に接続されている、請求項１〜６のいずれか１項に記載の調湿装置。
【請求項８】
前記圧縮機（２７）が、前記第１ケーシング（１１Ａ）内に配置されている請求項１〜６のいずれか１項に記載の調湿装置。
【請求項９】
前記第１ケーシング（１１Ａ）及びその内部機器と、前記圧縮機（２７）とにより構成された第１ユニット（１０Ａ）に対して、前記第２ケーシング（１１Ｂ）及びその内部機器により構成された第２ユニット（１０Ｂ）が複数並列して接続されている、請求項７又は８に記載の調湿装置。
【発明の詳細な説明】
【技術分野】
【０００１】
本発明は、室内の湿度を調整する調湿装置に関する。
【背景技術】
【０００２】
下記特許文献１には、空気の水分を吸着する吸着剤が担持された熱交換器によって室外空気及び室内空気の一方を除湿し他方を加湿した後、当該室外空気を室内に供給し当該室内空気を室外に排出する調湿装置が開示されている。
具体的には、図１８に示されるように、調湿装置のケーシング１１１の内部には、空気流を生成するファン１３４，１３５や、冷媒を循環させる冷媒回路が設けられている。冷媒回路は、吸着剤が担持された２つの吸着熱交換器１３１，１３２、圧縮機１２７、膨張弁、四路切換弁等を冷媒配管で接続してなる。ケーシングの一側面１２１（以下、第１側面という）には、室外空気を取り入れるための外気取入口１５１と、室内空気を取り入れるための内気取入口１５３とが形成され、その近傍にはエアフィルタ１７１が設けられている。また、第１側面１２１の両側に隣接する他の２側面１２２，１２３（以下、第２，第３側面という）には、当該室外空気を室内へ供給するための給気吹出口１５４と、当該室内空気を室外へ排出するための排気吹出口１５２とがそれぞれ形成されている。【０００３】
ケーシング１１１の第１側面１２１に対向する他側面１２４（以下、第４側面という）の近傍には、２つのファン１３４，１３５が配置されており、それぞれの吐出口が給気吹出口１５４と排気吹出口１５２とに接続されている。この２つのファン１３４，１３５の作動によって、ケーシング１１１内には、外気取入口１５１及び内気取入口１５３から取り入れた空気を給気吹出口１５４及び排気吹出口１５２から吹き出す空気の流れが生成される。また、２つのファン１３４，１３５の間には冷媒回路を構成する圧縮機１２７や膨張弁、四路切換弁等が配置されている。調湿装置の制御基板等が設けられた電装品ユニット（電装品箱）は、通常、ファン１３４，１３５や圧縮機１２７の近傍にあるケーシング１１の第４の側面１２４に取り付けられている。
【先行技術文献】
【特許文献】
【０００４】
【特許文献１】特開２００９−１０９１２０号公報
【発明の概要】
【発明が解決しようとする課題】
【０００５】
上記特許文献１記載の調湿装置は、例えば、室内の天井裏等に設置され、ダクトを介して室内及び室外と接続されている。そのため、ファン１３４，１３５の作動に伴う音（送風音や作動音）が室内に伝搬されやすく、騒音の原因になる。また、調湿装置の給気吹出口１５４や排気吹出口１５２にはファン１３４，１３５の吐出口が接続され、ファン１３４，１３５からの送風は直接的に給気吹出口１５４及び排気吹出口１５２からケーシング１１１外へ排出される。そのため、ファン１３４，１３５の作動に伴う音（送風音や作動音）がケーシング１１１外へ伝搬されやすくなり、これも騒音の原因となる。さらに、給気吹出口１５４及び排気吹出口１５２に近い圧縮機１２７や四路切換弁等から発生した音も室内に伝搬されやすくなる。【０００６】
また、従来の調湿装置は、１つのケーシング１１１内に２つの熱交換器１３１，１３２や四路切換弁や圧縮機１２７等を収容しているため、重量物で体積も大きくなっている。そのため、運搬、保管、設置等の取り扱いが困難となる。
また、ケーシング１１１内のファン１３４，１３５やエアフィルタ１７１、電装品ユニット等は、点検や部品交換、清掃等のメンテナンスが必要であり、これらのメンテナンスは、天井に形成された開口を介して天井裏で行われる。
しかし、天井裏におけるメンテナンスは、狭く暗い場所での作業となるため非常に煩雑である。また、電装品ユニット及びファン１３４，１３５と、エアフィルタ１７１とは離れて配置されているので、ケーシング１１１の周囲には、それぞれの作業スペースを分散して確保しなければならず、一箇所でメンテナンスを行うことができない。また、作業スペースを分散して確保するために調湿装置の設置場所の制約が大きくなるという欠点もある。【０００７】
本発明は、以上の実情に鑑み、調湿装置のメンテナンス性を高め、室内に対する騒音を低減すること等を目的とする。
【課題を解決するための手段】
【０００８】
本発明は、空気の水分を吸着する吸着剤が担持された吸着熱交換器によって室外空気及び室内空気の一方を除湿し他方を加湿した後、当該室外空気を室内に供給し当該室内空気を室外に排出する調湿装置であって、
ケーシングと、
前記吸着熱交換器、冷媒を循環させる圧縮機、冷媒の循環方向を切り換える切換機構、及びこれらを接続する冷媒配管を有している冷媒回路と、
前記ケーシング内に室外空気及び室内空気をそれぞれ取り入れるファンと、
当該調湿装置の制御部品を含む電装品ユニットと、を備え、
前記ケーシングが、前記ファン、前記切換機構、及び前記電装品ユニットが配置された第１ケーシングと、
前記吸着熱交換器が配置された第２ケーシングと、からなり、
前記第１ケーシングと前記第２ケーシングとがダクトを介して相互に接続されていることを特徴とする。【０００９】
本発明の調湿装置は、比較的メンテナンス頻度の高い部品であるファン及び電装品ユニット、並びに、音の発生する部品であるファン及び切換機構が第１ケーシングに配置され、メンテナンス頻度が低く、音の発生もほとんど無い吸着熱交換器が第２ケーシングに配置されている。そのため、第２ケーシングのみを室内に配置し、第１ケーシングをメンテナンスのしやすい室外等に配置することによって、第１ケーシング内の機器に対するメンテナンス性の向上と室内に対する騒音の低減とを図ることができる。また、ケーシングを第１ケーシングと第２ケーシングとに分割することによって、それぞれの重量や体積を小さくし、運搬、保管、設置等の取り扱いを容易にすることができる。【００１０】
前記第１ケーシングに、室内へ空気を供給するための給気吹出口、及び室外へ空気を排出するための排気吹出口が形成され、
前記第２ケーシングに、室外空気を取り入れるための外気取入口、及び室内空気を取り入れるための内気取入口が形成されていてもよい。
あるいは、前記第１ケーシングに、室外空気を取り入れるための外気取入口、及び室内空気を取り入れるための内気取入口が形成され、
前記第２ケーシングに、室内へ空気を供給するための給気吹出口、及び室外へ空気を排出するための排気吹出口が形成されていてもよい。【００１１】
後者の場合、前記ファンの吸込側に設けられるエアフィルタが、第１ケーシングに設けられることが好ましい。
この場合、比較的メンテナンス頻度の高い部品であるエアフィルタのメンテナンス性を向上させることができる。【００１２】
前記ダクトは、前記外気取入口から前記第２ケーシング内に取り入れられた室外空気を前記第１ケーシング内へ導入させる外気用ダクトと、前記内気取入口から前記第２ケーシング内に取り入れられた室内空気を前記第１ケーシング内へ導入させる内気用ダクトとを含むことができる。
あるいは、前記ダクトは、前記外気取入口から前記第１ケーシング内に取り入れられた室外空気を前記第２ケーシング内へ導入させる外気用ダクトと、前記内気取入口から前記第１ケーシング内に取り入れられた室内空気を前記第２ケーシング内へ導入させる内気用ダクトとを含むことができる。【００１３】
前記圧縮機は、前記第１ケーシングから引き出された冷媒配管に接続されていてもよいし、前記第１ケーシング内に配置されていてもよい。
いずれにおいても、音の発生する圧縮機を、第１ケーシングとともに室外に配置することができる。【００１４】
本発明において、前記第１ケーシング及びその内部機器と、前記圧縮機とにより構成された第１ユニットに対して、前記第２ケーシング及びその内部機器により構成された複数の第２ユニットが並列に接続されていることが好ましい。
この構成によれば、複数の部屋に対してそれぞれ第２ユニットを配置し、各第２ユニット内の吸着熱交換器に対する冷媒の供給を、１つの第１ユニットにおける圧縮機等を用いて行うことができる。
【発明の効果】
【００１５】
本発明によれば、ケーシング内の機器等のメンテナンス性の向上と室内に対する騒音の低減を図ることができる。
【図面の簡単な説明】
【００１６】
【図１】本発明の第１の実施の形態に係る調湿装置の内部の平面説明図である。
【図２】図１におけるＡ−Ａ線矢視方向から見た調湿装置の内部の説明図である。
【図３】図１におけるＢ−Ｂ線矢視方向から見た調湿装置の内部の説明図である。
【図４】調湿装置の冷媒回路を示す配管系統図である。
【図５】調湿装置内の空気の流れを示す平面説明図である。
【図６】調湿装置内の空気の流れを示す平面説明図である。
【図７】調湿装置内の空気流通路と熱交換室との間の空気の流れを示す説明図である。
【図８】調湿装置内の空気流通路と熱交換室との間の空気の流れを示す説明図である。
【図９】調湿装置の設置例を示す概略図である。
【図１０】本発明の第２の実施の形態に係る調湿装置の内部の平面説明図である。
【図１１】図１０におけるＡ−Ａ線矢視方向から見た調湿装置の内部の説明図である。
【図１２】図１０におけるＢ−Ｂ線矢視方向から見た調湿装置の内部の説明図である。
【図１３】調湿装置内の空気の流れを示す平面説明図である。
【図１４】調湿装置内の空気の流れを示す平面説明図である。
【図１５】調湿装置内の空気流通路と熱交換室との間の空気の流れを示す説明図である。
【図１６】調湿装置内の空気流通路と熱交換室との間の空気の流れを示す説明図である。
【図１７】ファン周辺の構造を拡大して示す断面図である。
【図１８】従来技術に係る調湿装置の内部を示す平面説明図である。
【発明を実施するための形態】
【００１７】
以下、本発明の実施の形態を図面に基づいて説明する。
＜第１の実施の形態＞
図１は、本発明の第１の実施の形態に係る調湿装置の内部の平面説明図である。図２は、図１におけるＡ−Ａ線矢視方向から見た調湿装置の内部の説明図である。図３は、図１におけるＢ−Ｂ線矢視方向から見た調湿装置の内部の説明図である。
本実施の形態の調湿装置１０は、室内の換気を行いながら除湿又は加湿を行うものであり、ケーシング１１Ａ，１１Ｂと、冷媒回路１２と、空気流制御機構１３等を備えている。
【００１８】
ケーシングは、第１ケーシング１１Ａと第２ケーシング１１Ｂとから構成されている。そして、第１ケーシング１１Ａは、例えば、室外の通路等の天井裏や機械室等に配置され、第２ケーシング１１Ｂは室内の天井裏等に配置される。第１ケーシング１１Ａと第２ケーシング１１Ｂとは、いずれも扁平な直方体の箱形に形成されている。
【００１９】
具体的に、第１ケーシング１１Ａは、底板１８ａと、天板１８ｂと、４枚の側板（第１〜第４側板）２１ａ〜２１ｄとを備えている。これら底板１８ａ、天板１８ｂ、及び側板２１ａ〜２１ｄによって囲まれた空間内に冷媒回路１２の一部や空気流制御機構１３の一部等が収容されている。また、第１ケーシング１１Ａの一側面（第１側板２１ａの外面）には、電装品ユニット１５が設けられている。
【００２０】
なお、以下の説明においては、第１ケーシング１１Ａの平面形状（長方形状）における短辺に沿った方向を前後方向とし、長辺に沿った方向を左右方向とする。また、前後方向については、第１側板２１ａ側を前側とし、第４側板２１ｄ側を後側とする。第１ケーシング１１Ａは、前後方向の長さよりも左右方向の長さのほうが大きく、細長い直方体形状に形成されている。
【００２１】
第２ケーシング１１Ｂは、底板１９ａと、天板１９ｂと、４枚の側板（第５〜第８側板）２４ａ〜２４ｄとを備えている。これら底板１９ａ、天板１９ｂ、及び側板２４ａ〜２４ｄによって囲まれた空間内に冷媒回路１２の一部や空気流制御機構１３の一部等が収容されている。なお、第２ケーシング１１Ｂに関しては、その前部に第５側板２４ａが、後部に第８側板２４ｄが、左右側部に第６，第７側板２４ｂ，２４ｃがそれぞれ配置されているものとする。
【００２２】
第１，第２ケーシング１１Ａ，１１Ｂに収容されている冷媒回路１２について説明する。図４は、調湿装置１０の冷媒回路１２を示す配管系統図である。
冷媒回路１２は、第１熱交換器３１、四路切換弁（切換機構）２６、圧縮機２７、第２熱交換器３２、及び電動膨張弁（膨張機構）２８を冷媒配管２９によって接続してなり、冷媒を循環させることによって蒸気圧縮式の冷凍サイクルを実行するように構成されている。
圧縮機２７は、その吐出側が四路切換弁２６の第１のポートに接続され、その吸入側が四路切換弁２６の第２のポートに接続されている。第１熱交換器３１の一端は、四路切換弁２６の第３のポートに接続されている。第１熱交換器３１の他端は、電動膨張弁２８に接続されている。第２熱交換器３２の一端は、四路切換弁２６の第４のポートに接続されている。第２熱交換器３２の他端は、電動膨張弁２８に接続されている。
【００２３】
圧縮機２７は、いわゆる全密閉型であり、インバータによって運転回転数（運転周波数）が制御される容量可変型の圧縮機とされている。
第１熱交換器３１及び第２熱交換器３２は、いずれも、伝熱管と多数のフィンとを備えた、いわゆるクロスフィン型のフィン・アンド・チューブ式熱交換器により構成されている。また、第１熱交換器３１及び第２熱交換器３２の外表面には、その概ね全面に亘ってゼオライト等の吸着剤が担持されている。
【００２４】
四路切換弁２６は、第１のポートと第３のポートとが連通しかつ第２のポートと第４のポートとが連通する状態（図４（ａ）参照）と、第１のポートと第４のポートとが連通しかつ第２のポートと第３のポートとが連通する状態（図４（ｂ）参照）とに切り換え可能に構成されている。そして、冷媒回路１２は、この四路切換弁２６のポートの連通状態を切り換えることにより、冷媒循環方向を反転させ、第１熱交換器３１が凝縮器として機能し、第２熱交換器３２が蒸発器として機能する第１の冷凍サイクル動作と、第１熱交換器３１が蒸発器として機能し、第２熱交換器３２が凝縮器として機能する第２の冷凍サイクル動作とを行うことができる。
【００２５】
図１〜図３に示されるように、空気流制御機構１３は、第２ケーシング１１Ｂ内に室外空気及び室内空気を取り込み、これらをそれぞれ熱交換器３１，３２を通過させた後に第１ケーシング１１Ａへ送り、第１ケーシング１１Ａから室内及び室外に吹き出す空気流を生成するものである。具体的に、空気流制御機構１３は、ケーシング１１Ａ，１１Ｂから空気を吹き出す第１ファン３４及び第２ファン３５を有している。
【００２６】
第１ファン３４及び第２ファン３５は、シロッコファンにより構成されている。シロッコファンは、図１に示されるように、モータ３６によって回転する多翼の羽根車３７をファンケーシング３８内に設けたものである。ファンケーシング３８は円筒形に形成され、ファンケーシング３８の両側面には吸込口が形成され、外周面には吐出口３８ｂが形成されている。また、第１ファン３４及び第２ファン３５は、インバータ制御によって風量を調整可能に構成されている。
【００２７】
また、空気流制御機構１３は、図１〜図３に示されるように、第１，第２ファン３４，３５によってケーシング１１Ａ，１１Ｂ内に取り込まれた空気の流通路を制御する複数のダンパ４１〜４８を備えている。このダンパ４１〜４８の具体的な動作については後述する。
【００２８】
図１に示されるように、第１ケーシング１１Ａの第２側板２１ｂには、室内の空気を第１ケーシング１１Ａから吹き出すための排気吹出口５２が形成されている。この排気吹出口５２には室外に通じるダクトＤ１が接続されている。排気吹出口５２の近傍における第１ケーシング１１Ａ内には、排気吹出用の第１ファン３４が配置され、この第１ファン３４の吐出口３８ｂが排気吹出口５２に接続されている。
【００２９】
第１ケーシング１１Ａの第３側板２１ｃには、第１ケーシング１１Ａ内の空気を室内に吹き出すための給気吹出口５４が形成されている。この給気吹出口５４には室内に通じるダクトＤ３が接続されている。また、給気吹出口５４の近傍における第１ケーシング１１Ａ内には、給気吹出用の第２ファン３５が配置され、この第２ファン３５の吐出口３８ｂが給気吹出口５４に接続されている。
【００３０】
第１ケーシング１１Ａの第４側板２１ｄにおける左右両端部には、それぞれ第１及び第２中継取入口２２ｂ，２３ｂが形成されている。第１及び第２中継取入口２２ｂ，２３ｂには、それぞれ第２ケーシング１１Ｂに通じる内気用ダクトＤ６及び外気用ダクトＤ５の一端が接続されている。したがって、内気用ダクトＤ６及び外気用ダクトＤ５から送られた空気が第１，第２中継取入口２２ｂ、２３ｂを介して第１ケーシング１１Ａ内に取り入れられる。
【００３１】
第２ケーシング１１Ｂにおける第６側板２４ｂの後部側には、室外の空気を第２ケーシング１１Ｂ内に取り入れるための外気取入口５１が形成されている。この外気取入口５１には、室外に通じるダクトＤ２が接続されている。また、第２ケーシング１１Ｂにおける第７側板２４ｃの後部側には、室内の空気を第２ケーシング１１Ｂ内に取り入れるための内気取入口５３が形成されている。この内気取入口５３には、室内に通じるダクトＤ４が接続されている。
【００３２】
第２ケーシング１１Ｂにおける第６側板２４ｂ及び第７側板２４ｃの前部側には、それぞれ第１及び第２中継吹出口２２ａ，２３ａが形成されている。そして、第１中継吹出口２２ａには内気用ダクトＤ６の他端が接続され、第２中継吹出口２３ａには外気用ダクトＤ５の他端が接続されている。したがって、外気取入口５１から第２ケーシング１１Ｂ内に取り入れられた室外の空気は外気用ダクトＤ５を介して第１ケーシング１１Ａ内に取り入れられ、内気取入口５３から第２ケーシング１１Ｂ内に取り入れられた室内の空気は内気用ダクトＤ６を介して第１ケーシング１１Ａ内に取り入れられる。
【００３３】
以上の構成により、室外と室内とは、ダクトＤ１〜Ｄ６及び第１，第２ケーシング１１Ａ，１１Ｂを介して相互に連通されている。
なお、図１に示されるように、外気取入口５１から第２ケーシング１１Ｂ内に取り入れられる空気をＯＡ、内気取入口５３から第２ケーシング１１Ｂ内に取り入れられる空気をＲＡ、排気吹出口５２から第１ケーシング１１Ａ外へ排出される空気をＥＡ、給気吹出口５４から第１ケーシング１１Ａ外へ排出される空気をＳＡと表記することがある。
【００３４】
図１に示されるように、第１ケーシング１１Ａの内部には、第１ファン３４及び第２ファン３５が配置される送風室５６ａ，５６ｂが設けられている。この送風室５６ａ，５６ｂは、第２区画壁６２によって、排気吹出用の第１ファン３４が配置される第１送風室５６ａと、給気吹出用の第２ファン３５が配置される第２送風室５６ｂとに区画されている。第２送風室５６ｂは第１送風室５６ａよりも左右方向に広く形成されている。
【００３５】
第１ファン３４と第２ファン３５との間における第２送風室５６ｂ内のスペースＳには、冷媒回路１２を構成する四路切換弁２６等（図４参照）が配置されている。このスペースＳから第１側板２１ａを貫通して引き出された冷媒配管２９には、第１ケーシング１１Ａの外部に設置された圧縮機２７が接続されている。本実施の形態においては、第１ケーシング１１Ａとその内部機器、及び圧縮機２７によって第１ユニット（機能ユニット）１０Ａが構成されている。なお、圧縮機２７は、第１ケーシング１１Ａ内のスペースＳに配置されていてもよい。
【００３６】
第１，第２ファン３４，３５は、室外に設置される第１ケーシング１１Ａ内に設けられるので、第１，第２ファン３４，３５の作動音や送風音が室内に伝わるのを防止することができる。特に、第２ファン３５は、ダクトＤ３を通じて距離の離れた室内に接続されており、第２ファン３５の音は長いダクトＤ３を通る間に減衰するので、室内に伝播されるのを好適に防止することができる。
【００３７】
第１ケーシング１１Ａの第１側板２１ａの前面に配置された電装品ユニット１５は、電装品箱内に、調湿装置１０全体の制御基板、圧縮機２７や第１，第２ファン３４，３５の制御基板（インバータ基板）等の電気部品を収容してなる。この電装品ユニット１５の点検や部品交換等を行うため、第１ケーシング１１Ａの前方にはメンテナンス用の作業スペースが形成される。また、第１側板２１ａを取り外すことによって、第１，第２ファン３４，３５に対するメンテナンスや冷媒回路１２における四路切換弁２６等のメンテナンスも第１ケーシング１１Ａの前方の作業スペースにおいて行うことができる。
【００３８】
したがって、本実施の形態では、比較的メンテナンス頻度の高い電装品ユニット１５、第１，第２ファン３４，３５、及び冷媒回路１２の一部（四路切換弁２６等）が第１ケーシング１１Ａに集中して配置され、これらのメンテナンスのための作業スペースを第１ケーシング１１Ａの一側（第１側板２１ａの前方）に集中して設けることができる。その結果、当該作業スペースをケーシングの周囲に分散して設ける場合に比べて、作業スペース全体の平面的な面積を可及的に小さくすることができ、メンテナンス作業を一箇所で容易に行うことができる。また、第１ケーシング１１Ａを室外におけるメンテナンスのし易い場所に配置すれば、よりメンテナンス性を高めることができる。また、第１ケーシング１１Ａは、第２ケーシング１１Ｂと比較して小型化することができるので、室外の狭いスペース（デッドスペース等）を利用して設置することが可能となる。
【００３９】
図１に示されるように、第２ケーシング１１Ｂ内には、熱交換室５７，５８と空気流通路５９，６０とが形成されている。具体的に、第５側板２４ａと第８側板２４ｄとの間には、前後方向に沿って延びる第３区画壁６３と第４区画壁６４とが左右方向に並べて設けられている。第３区画壁６３及び第４区画壁６４の前端は第５側板２４ａに接続され、後端は第８側板２４ｄに接続されている。第３区画壁６３と第４区画壁６４との間には、第１，第２熱交換器３１，３２が配置される熱交換室５７，５８が形成されている。第３区画壁６３と第６側板２４ｂとの間、及び、第４区画壁６４と第７側板２４ｃとの間には、それぞれ前後方向に延びる第１空気流通路５９及び第２空気流通路６０が形成されている。第１，第２空気流通路５９，６０には、エアフィルタ７１が設けられている。
【００４０】
熱交換室５７，５８は、第５区画壁６５によって前後に区画されている。そして、前側の第１熱交換室５７には第１熱交換器３１が配置され、後側の第２熱交換室５８には第２熱交換器３２が配置されている。第１熱交換器３１及び第２熱交換器３２は、図７及び図８に示されるように、それぞれ第１空気流通路５９側が第２空気流通路６０側よりも高くなるように傾斜した姿勢で配置されている。そのため、第１及び第２熱交換室５７，５８内の空気流は、第１及び第２熱交換器３１，３２を左右方向かつ上下方向に流通するようになっている。なお、第１及び第２熱交換器３１は、図７及び図８に示すものとは左右逆に傾斜して配置されていてもよい。また、第１熱交換器３１と第２熱交換器３２とは互いに逆向きに傾斜していてもよい。
【００４１】
このように第１及び第２熱交換器３１，３２を傾斜した姿勢で配置することで、空気の流通面積を拡大し、熱交換効率の向上及び吸着剤による水分の吸着効率の向上を図ることができる。なお、第１，第２熱交換器３１，３２は、図１に示されるように、冷媒配管２９ａによって第１ケーシング１１Ａ内の冷媒回路１２に接続されている。また、第２ケーシング１１Ｂにおいて、第１，第２熱交換器３１，３２の間には、電動膨張弁２８（図４参照）も配置されている。本実施の形態では、第２ケーシング１１Ｂとその内部機器とによって第２ユニット（調湿ユニット）１０Ｂが構成されている。
【００４２】
図２に示されるように、第１空気流通路５９は、第６区画壁６６によって上下２段に区画されている。第６側板２４ｂ（図１参照）に形成された第１中継吹出口２２ａは、下段側の第１空気流通路５９ｂに連通している。また、外気取入口５１は、上段側の第１空気流通路５９ａに連通している。
図３に示されるように、第２空気流通路６０は、第７区画壁６７によって上下２段に区画されている。第７側板２４ｃ（図１参照）に形成された第２中継吹出口２３ａは、上段側の第２空気流通路６０ａに連通している。また、内気取入口５３は、下段側の第２空気流通路６０ｂに連通している。
【００４３】
図１に示されるように、第１中継吹出口２２ａ及び外気取入口５１は第６側板２４ｂに形成され、第２中継吹出口２３ａ及び内気取入口５３は第７側板２４ｃに形成されている。したがって、第２ケーシング１１Ｂの第５，第８側板２４ａ，２４ｄには、空気が流通する開口は形成されず、ダクトも接続されない。そのため、第５，第８側板２４ａ，２４ｄの周辺にはダクト等を配置するためのスペースは不要となっている。また、熱交換器３１，３２に対する点検や交換等のメンテナンスは、第５側板２４ａ及び第８側板２４ｄの一方を取り外すことによって行うことができる。したがって、第５側板２４ａ及び第８側板２４ｄの一方側にはメンテナンスのための作業スペースが必要であるが、他方側には当該作業スペースを確保する必要がないので、当該他方側を建物の壁際等に配置するような第２ケーシング１１Ｂの設置が可能となる。そのため、第２ケーシング１１Ｂの設置場所の制約を少なくし、設置の自由度を高めることができる。
【００４４】
図９は、調湿装置の設置態様の一例を示す概略図である。この図では、１台の第１ユニット（機能ユニット）１０Ａに対して複数台の第２ユニット（調湿ユニット）１０Ｂが並列に接続されている。第１ユニット１０Ａは、室外の通路Ｃの天井裏や機械室等に配置されている。複数の第２ユニット１０Ｂは、各部屋Ｒの天井裏等に設置されている。第１ユニット１０Ａと第２ユニット１０ＢとはダクトＤ５，Ｄ６によって接続されている。第２ユニット１０Ｂは、熱交換器３１，３２や膨張弁２８等の音の発生が少ない部品を備えているので、室内に対する騒音の原因になることはほとんどない。したがって、病院の病室やホテルの客室等の静音性が求められる場所に設置することが可能となっている。これに対して第１ユニット１０Ａは、ファン３４，３５や圧縮機２７等の比較的大きな音が発生する部品を備えているが、室外に配置することができるので、室内に対する騒音の問題になることはほとんどない。また、第１ユニット１０Ａを室外に配置することで、ファン３４，３５、圧縮機２７等のメンテナンスを室外で行うことができ、当該メンテナンスの間も室内は通常通り使用することができる。また、調湿装置を第１ユニット１０Ａと第２ユニット１０Ｂとに分けて構成することによって、両者を一体に構成する場合に比べて、それぞれを小型化することができる。そのため第１ユニット１０Ａ及び第２ユニット１０Ｂの運搬、保管、設置等を容易に行うことができる。
【００４５】
次に、空気流制御機構１３の構成についてより詳細に説明する。
図２に示されるように、第２ケーシング１１Ｂの第３区画壁６３には、４つの通気口８１〜８４が前後上下に並べて形成されている。これらの通気口８１〜８４は、それぞれダンパ４１〜４４によって開閉可能に構成されている。
また、図３に示されるように、第４区画壁６４には、４つの通気口８５〜８８が前後上下に並べて形成されている。これらの通気口８５〜８８は、それぞれダンパ４５〜４８によって開閉可能に構成されている。
【００４６】
図２に示されるように、第３区画壁６３に形成された上段側の通気口８３，８４は、上段側の第１空気流通路５９ａに連通している。また、下段側の通気口８１，８２は、下段側の第１空気流通路５９ｂに連通している。
図３に示されるように、第４区画壁６４に形成された上段側の通気口８５，８６は、上段側の第２空気流通路６０ａに連通している。また、下段側の通気口８７，８８は、下段側の第２空気流通路６０ｂに連通している。
【００４７】
また、第３，第４区画壁６３，６４に形成された通気口８１〜８８のうち、前側に配置された４つの通気口８１，８３，８５，８７は、前側の第１熱交換室５７（図１参照）に連通し、後側に配置された４つの通気口８２，８４，８６，８８は、後側の第２熱交換室５８（図１参照）に連通している。
【００４８】
各ダンパ４１〜４８は、次の開閉パターンに従って開閉動作を行う。
図２に示されるように、第３区画壁６３に設けられたダンパ４１〜４４のうち、上段側の前後のダンパ４３，４４は交互に開閉し（一方が開いたときに他方が閉じ、他方が開いたときに一方が閉じる）、同様に、下段側の前後のダンパ４１，４２も交互に開閉する。また、前側の上下のダンパ４３，４１は交互に開閉し、後側の上下のダンパ４４，４２も交互に開閉する。
【００４９】
図３に示されるように、第４区画壁６４に設けられたダンパ４５〜４８のうち、上段側の前後のダンパ４５，４６は交互に開閉し、下段側の前後のダンパ４７，４８も交互に開閉する。また、前側の上下のダンパ４５，４７は交互に開閉し、後側の上下のダンパ４６，４８も交互に開閉する。
【００５０】
また、第３，第４区画壁６３，６４に設けられた下段側のダンパ４１，４２，４７，４８のうち、前側に配置された２つのダンパ４１，４７が組となって同時に開閉し（一方が開いたときに他方も開き、一方が閉じたときに他方も閉じる）、後側に配置された２つのダンパ４２，４８が組となって同時に開閉する。
同様に、第３，第４区画壁６３，６４に設けられた上段側のダンパ４３，４４，４５，４６のうち、前側に配置された２つのダンパ４３，４５が組となって同時に開閉し、後側に配置された２つのダンパ４４，４６が組となって同時に開閉する。
【００５１】
そして、本実施の形態では、以上のようなダンパ４１〜４８の開閉パターンの組み合わせによって、図５に示される態様と、図６に示される態様とに空気流が切り換えられる。
図５に示される態様では、第１ファン３４によって内気取入口５３から取り入れられた室内空気が、第１熱交換室５７を通過して第１中継吹出口２２ａ及び第１中継取入口２２ｂを介して第１ケーシング１１Ａ内に流入し、排気吹出口５２から排出される。また、第２ファン３５によって外気取入口５１から取り入れられた室外空気が、第２熱交換室５８を通過して第２中継吹出口２３ａ及び第２中継取入口２３ｂを介して第１ケーシング１１Ａ内に流入し、給気吹出口５４から排出される。
【００５２】
また、図６に示される態様では、第１ファン３４によって内気取入口５３から取り入れられた室内空気が、第２熱交換室５８を通過して第１中継吹出口２２ａ及び第１中継取入口２２ｂを介して第１ケーシング１１Ａ内に流入し、排気吹出口５２から排出される。また、第２ファン３５によって外気取入口５１から取り入れられた室内空気が、第１熱交換室５７を通過して第２中継吹出口２３ａ及び第２中継取入口２３ｂを介して第１ケーシング１１Ａ内に流入し、給気吹出口５４から排出される。
【００５３】
図７は、図５に示される空気流の態様に対応した、第１，第２空気流通路５９，６０と第１，第２熱交換室５７，５８との間の空気流れを示す説明図である。
図７（ａ）に示されるように、内気取入口５３から下段側の第２空気流通路６０ｂを流れる空気流は、第４区画壁６４の下段前側に形成された通気口８７を介して第１熱交換室５７に流入する。その後、当該空気流は、第１熱交換器３１を通過し、第３区画壁６３の下段前側に形成された通気口８１を介して下段側の第１空気流通路５９ｂに流入し、第１中継吹出口２２ａから排出される。
【００５４】
同時に、図７（ｂ）に示されるように、外気取入口５１から上段側の第１空気流通路５９ａを流れる空気流は、第３区画壁６３の上段後側に形成された通気口８４を介して第２熱交換室５８に流入する。その後、当該空気流は、第２熱交換器３２を通過し、第４区画壁６４の上段後側に形成された通気口８６を介して上段側の第２空気流通路６０ａに流入し、第２中継吹出口２３ａから排出される。
【００５５】
図８は、図６に示される空気流の態様に対応した、第１，第２空気流通路５９，６０と第１，第２熱交換室５７，５８との間の空気の流れを示す説明図である。
図８（ａ）に示されるように、内気取入口５３から下段側の第２空気流通路６０ｂを流れる空気流は、第４区画壁６４の下段後側に形成された通気口８８を介して第２熱交換室５８に流入する。その後、当該空気流は、第２熱交換器３２を通過し、第３区画壁６３の下段後側に形成された通気口８２を介して下段側の第１空気流通路５９ｂに流入し、第１中継吹出口２２ａから室内に排出される。
【００５６】
同時に、図８（ｂ）に示されるように、外気取入口５１から上段側の第１空気流通路５９ａを流れる空気流は、第３区画壁６３の上段前側に形成された通気口８３を介して第１熱交換室５７に流入する。その後、当該空気流は、第１熱交換器３１を通過し、第４区画壁６４の上段前側に形成された通気口８５を介して上段側の第２空気流通路６０ａに流入し、第２中継吹出口２３ａから室外に排出される。
【００５７】
図５及び図７に示される空気流の態様と図６及び図８に示される空気流の態様とは、図４に示される冷媒循環方向の切換動作（第１及び第２の冷凍サイクル動作）に合わせて所定時間毎（例えば、３分毎）に交互に繰り返して実行される。これによって調湿装置１０は、除湿運転と加湿運転とを行うことが可能となっている。
【００５８】
（除湿運転の説明）
まず、除湿運転について説明する。第１の冷凍サイクル動作は、図４（ａ）に示されるように、圧縮機２７から吐出された冷媒が、第１熱交換器３１で放熱して凝縮し、その後に電動膨張弁２８へ送られて減圧される。減圧された冷媒は、第２熱交換器３２で吸熱して蒸発し、その後に圧縮機２７に吸入されて圧縮され、再び吐出される。したがって、第１の冷凍サイクル動作では、第１熱交換器３１が凝縮器として機能し、第２熱交換器３２が蒸発器として機能する。
【００５９】
このとき、図５及び図７に示されるように、外気取入口５１から取り入れられた室外空気ＯＡは第２熱交換器３２を通過し、熱交換後の空気ＳＡが給気吹出口５４から排出される。また、内気取入口５３から取り入れられた室内空気ＲＡは第１熱交換器３１を通過し、熱交換後の空気ＥＡが排気吹出口５２から排出される。具体的に、凝縮器としての第１熱交換器３１においては、吸着剤に吸着されていた水分が冷媒の熱によって脱離し、室内空気ＲＡに取り込まれる。これにより、第１熱交換器３１の吸着剤が再生されるとともに、室内空気ＲＡが加湿され、加湿後の空気ＥＡが排気吹出口５２から室外に排出される。また、蒸発器としての第２熱交換器３２においては、冷媒の吸熱によって室外空気ＯＡに含まれる水分が吸着剤に吸着（回収）され、室外空気ＯＡが除湿される。除湿後の空気ＳＡは給気吹出口５４から室内に供給される。
【００６０】
第２の冷凍サイクル動作は、図４（ｂ）に示されるように、圧縮機２７から吐出された冷媒が、第２熱交換器３２で放熱して凝縮し、その後に電動膨張弁２８へ送られて減圧される。減圧された冷媒は、第１熱交換器３１で吸熱して蒸発し、その後に圧縮機２７へ吸入されて圧縮され、再び吐出される。したがって、第２の冷凍サイクル動作では、第１熱交換器３１が蒸発器として機能し、第２熱交換器３２が凝縮器として機能する。
【００６１】
このとき、図６及び図８に示されるように、外気取入口５１から取り入れられた室外空気ＯＡは第１熱交換器３１を通過し、熱交換後の空気ＳＡが給気吹出口５４から排出される。内気取入口５３から取り入れられた室内空気ＲＡは第２熱交換器３２を通過し、熱交換後の空気ＥＡが排気吹出口５２から排出される。具体的に、凝縮器としての第２熱交換器３２においては、吸着剤に吸着されていた水分が冷媒の熱によって脱離し、室内空気ＲＡに取り込まれる。これにより、第２熱交換器３２の吸着剤が再生されるとともに、室内空気ＲＡが加湿され、加湿後の空気ＥＡは排気吹出口５２から室外に排出される。また、蒸発器としての第１熱交換器３１においては、冷媒の吸熱によって室外空気ＯＡに含まれる水分が吸着剤に吸着（回収）され、室外空気ＯＡが除湿される。除湿後の空気ＳＡは、給気吹出口５４から室内に供給される。
【００６２】
（加湿運転の説明）
次に、加湿運転について説明する。図４（ａ）に示される第１冷凍サイクル動作では、第１熱交換器３１が凝縮器として機能し、第２熱交換器３２が蒸発器として機能する。このとき、図６及び図８に示されるように、外気取入口５１から取り入れられた室外空気ＯＡは第１熱交換器３１を通過し、熱交換後の空気ＳＡが給気吹出口５４から排出される。内気取入口５３から取り入れられた室内空気ＲＡは第２熱交換器３２を通過し、熱交換後の空気ＥＡが排気吹出口５２から排出される。具体的に、凝縮器としての第１熱交換器３１においては、吸着剤に吸着されていた水分が冷媒の熱によって脱離し、室外空気ＯＡに取り込まれる。これにより、吸着剤が再生されるとともに室外空気ＯＡが加湿され、加湿後の空気ＳＡが給気吹出口５４から室内に供給される。また、蒸発器としての第２熱交換器３２においては、冷媒の吸熱によって室内空気ＲＡに含まれる水分が吸着剤に吸着（回収）され、室内空気ＲＡが除湿される。除湿後の空気ＥＡは、排気吹出口５２から室外へ排出される。
【００６３】
図４（ｂ）に示される第２の冷凍サイクル動作では、第１熱交換器３１が蒸発器として機能し、第２熱交換器３２が凝縮器として機能する。このとき、図５及び図７に示されるように、外気取入口５１から取り入れられた室外空気ＯＡは第２熱交換器３２を通過し、熱交換後の空気ＳＡが給気吹出口５４から排出される。内気取入口５３から取り入れられた室内空気ＲＡは第１熱交換器３１を通過し、熱交換後の空気ＥＡが排気吹出口５２から排出される。具体的に、凝縮器としての第２熱交換器３２においては、吸着剤に吸着されていた水分が冷媒の熱によって脱離し、室外空気ＯＡに取り込まれる。これにより、吸着剤が再生されるとともに室外空気ＯＡが加湿され、加湿後の空気ＳＡが給気吹出口５４から室内に供給される。また、蒸発器としての第１熱交換器３１においては、冷媒の吸熱によって室内空気ＲＡに含まれる水分が吸着剤に吸着（回収）され、室内空気ＲＡが除湿される。除湿後の空気ＥＡは、排気吹出口５２から室外へ排出される。
【００６４】
＜第２の実施の形態＞
次に、図１０〜図１７を参照して本発明の第２の実施の形態を説明する。本実施の形態は、主に空気流制御機構１３の構成が上記第１の実施の形態と異なっている。
本実施の形態の空気流制御機構１３は、図１０〜図１２に示されるように、第１ケーシング１１Ａ内に室外空気及び室内空気を取り込み、これらを第２ケーシング１１Ｂへ送ってそれぞれ熱交換器３１，３２を通過させた後に第２ケーシング１１Ｂから室内及び室外に吹き出す空気流を生成するように構成されている。具体的に、空気流制御機構１３における第１ファン３４及び第２ファン３５は、第１ケーシング１１Ａ内に室外空気及び室内空気を吸い込む。
【００６５】
第１ファン３４及び第２ファン３５は、第１の実施の形態と同様に、シロッコファンにより構成されている。シロッコファンは、図１７に示されるように、モータ３６によって回転する多翼の羽根車３７をファンケーシング３８内に設けたものである。ファンケーシング３８は円筒形に形成され、ファンケーシング３８の両側面には吸込口３８ａが形成され、外周面には吐出口３８ｂが形成されている。また、第１ファン３４及び第２ファン３５は、インバータ制御によって風量を調整可能に構成されている。
【００６６】
また、空気流制御機構１３は、図１０〜図１２に示されるように、第１，第２ファン３４，３５によってケーシング１１Ａ，１１Ｂ内に取り込まれた空気の流通路を制御する複数のダンパ４１〜４８を備えている。また、第１ケーシング１１Ａの第２側板２１ｂには、室外の空気を第１ケーシング１１Ａ内に取り入れるための外気取入口５１が形成されている。この外気取入口５１には室外に通じるダクトＤ１が接続されている。外気取入口５１の近傍における第１ケーシング１１Ａ内には、外気取入用の第１ファン３４が配置されている。
【００６７】
第１ケーシング１１Ａの第３側板２１ｃには、室内の空気を第１ケーシング１１Ａ内に取り入れるための内気取入口５３が形成されている。この内気取入口５３には室内に通じるダクトＤ３が接続されている。また、内気取入口５３の近傍における第１ケーシング１１Ａ内には、内気取入用の第２ファン３５が配置されている。
【００６８】
第１ケーシング１１Ａの第４側板２１ｄにおける左右両端部には、それぞれ第１及び第２中継吹出口２２ａ，２３ａが形成されている。外気取入口５１から第１ケーシング１１Ａ内に取り入れられた室外の空気は、第１中継吹出口２２ａから吹き出され、内気取入口５３から第１ケーシング１１Ａ内に取り入れられた室内空気は第２中継吹出口２３ａから吹き出される。第１及び第２中継吹出口２２ａ，２３ａには、それぞれ第２ケーシング１１Ｂに通じる外気用ダクトＤ５及び内気用ダクトＤ６の一端が接続されている。
【００６９】
第２ケーシング１１Ｂにおける第６側板２４ｂの後部側には、当該第２ケーシング１１Ｂから室外に空気を排出するための排気吹出口５２が形成されている。この排気吹出口５２には、室外に通じるダクトＤ２が接続されている。また、第２ケーシング１１Ｂにおける第７側板２４ｃの後部側には、当該第２ケーシング１１Ｂから室内に空気を排出するための給気吹出口５４が形成されている。この給気吹出口５４には、室内に通じるダクトＤ４が接続されている。
【００７０】
第２ケーシング１１Ｂにおける第６側板２４ｂ及び第７側板２４ｃの前部側には、それぞれ第１及び第２中継取入口２２ｂ，２３ｂが形成されている。そして、第１中継取入口２２ｂには外気用ダクトＤ５の他端が接続され、第２中継取入口２３ｂには内気用ダクトＤ６の他端が接続されている。したがって、第１ケーシング１１Ａ内に取り入れられた室外の空気は外気用ダクトＤ５を介して第２ケーシング１１Ｂ内に取り入れられ、第１ケーシング１１Ａ内に取り入れられた室内の空気は内気用ダクトＤ６を介して第２ケーシング１１Ｂ内に取り入れられる。
【００７１】
以上の構成により、室外と室内とは、ダクトＤ１〜Ｄ６及び第１，第２ケーシング１１Ａ，１１Ｂを介して相互に連通されている。
図１０に示されるように、第１ケーシング１１Ａの内部には、第１の実施の形態と同様に、第１ファン３４及び第２ファン３５が配置される第１，第２送風室５６ａ，５６ｂが第２区画壁６２により区画されて設けられている。
図１０及び図１７に示されるように、第４側板２１ｄの左右両端部の前側には、左右方向の外側ほど前方に位置するように傾斜する傾斜板２１ｄ１が設けられている。そして、この傾斜板２１ｄ１に第１，第２ファン３４，３５の吐出口３８ｂが接続されている。また、第１，第２ファン３４，３５は、各羽根車３７の回転軸が、傾斜板２１ｄ１と略平行となるように配置されている。したがって、第１，第２ファン３４，３５は、第２側板２１ｂ及び第３側板２１ｃに対して傾斜した姿勢で配置されている。
【００７２】
そのため、第１，第２ファン３４，３５のファンケーシング３８の側面に形成された吸込口３８ａは、第２側板２１ｂ及び第３側板２１ｃから離れて配置され、両者の間には平面視で略三角形状の空気引込空間７０が形成されている。この空気引込空間７０は、吸込口３８ａからファンケーシング３８内へ吸い込まれる前の空気の流動スペースとして機能している。特に、空気引込空間７０は、吸込口３８ａの外周側から吸込口３８ａへ流入する空気（図１７に矢印ａで示す）の流動スペースとして有効に機能し、吸込口３８ａへ空気流を円滑に導くために役立っている。したがって、このような空気引込空間７０を形成することによって、外気取入口５１及び内気取入口５３から第１，第２ファン３４，３５の吸込口３８ａへ吸い込まれる空気の圧力損失を効果的に低減し、効率よく室外空気及び室内空気を第１ケーシング１１Ａ内に取り入れることができる。
【００７３】
また、外気取入口５１及び内気取入口５３の近傍に第１，第２ファン３４，３５が配置されているので、第１，第２ファン３４，３５の作動音や送風音は、第１，第２ケーシング１１Ａ，１１Ｂ内やダクトＤ５，Ｄ６を空気流が通過する間に減衰される。したがって、当該音が第１，第２ケーシング１１Ａ，１１Ｂ外に伝播し、騒音の原因となることを防止することができる。なお、以上のような第１，第２ファン３４，３５の配置に加え、この第１，第２ファン３４，３５が収容される第１ケーシング１１Ａは室外に配置されるので、第１，第２ファン３４，３５の音が室内に伝わるのをより確実に防止することができる。
【００７４】
空気引込空間７０にはエアフィルタ７１が配置されている。このエアフィルタ７１は、ファン３４，３５の側面と略平行に配置されている。したがって、エアフィルタ７１も第２側板２１ｂ及び第３側板２１ｃに対して傾斜して配置されている。このようにエアフィルタ７１を傾斜して配置することによって空気の流通面積を拡大することができる。また、第１ケーシング１１Ａの第１側板２１ａの一部又は全部は着脱可能に構成されており、第１側板２１ａの一部又は全部を取り外すことによって、エアフィルタ７１を着脱するための着脱口を形成することが可能となっている。そして、図１０に矢印ｂで示すように、エアフィルタ７１を斜め前方へ引き出すことによって第１ケーシング１１Ａからエアフィルタ７１を取り外すことができ、当該エアフィルタ７１の清掃や交換を行うことができる。
【００７５】
空気引込空間７０には、外気取入口５１や内気取入口５３から取り入れられる空気の温度や湿度を計測するセンサ類７２，７３が設けられている。このセンサ類７２，７３の電気配線は、それぞれ第１、第２送風室５６ａ，５６ｂから第１側板２１ａに設けられた電装品ユニット１５に引き込まれている。このように外気取入口５１及び内気取入口５３を電装品ユニット１５とともに第１ケーシング１１Ａに配置することによって、センサ類７２，７３の電気配線を短い距離で電装品ユニット１５に接続することができる。また、電気配線が第１ケーシング１１Ａ内の区画壁を貫通することを可及的に少なくし、区画された空間相互で空気漏れが生じるのを防止することができる。
【００７６】
第１ケーシング１１Ａの前方には、第１の実施の形態と同様に、電装品ユニット１５の点検や部品交換等を行うためのメンテナンス用の作業スペースが形成されるが、前述したように、エアフィルタ７１は、第１ケーシング１１Ａの前方にて着脱されるので、同じ作業スペースを利用してエアフィルタ７１の着脱作業も行うことができる。
したがって、本実施の形態では、比較的メンテナンス頻度の高い電装品ユニット１５、第１，第２ファン３４，３５、及び冷媒回路１２の一部（四路切換弁２６等）とともに、エアフィルタ７１も第１ケーシング１１Ａに集中して配置され、これらのメンテナンスのための作業スペースを第１ケーシング１１Ａの一側（第１側板２１ａの前方）に集中して形成することができる。
【００７７】
第２ケーシング１１Ｂ内における、第１，第２熱交換室５７，５８、及び第１，第２空気流通路５９，６０の構成や、第１及び第２熱交換器３１，３２の配置等は、第１の実施の形態と同様である。
図１１に示されるように、第１空気流通路５９は、第６区画壁６６によって上下２段に区画されている。第６側板２４ｂ（図１０参照）に形成された第１中継取入口２２ｂは、下段側の第１空気流通路５９ｂに連通している。また、排気吹出口５２は、上段側の第１空気流通路５９ａに連通している。
図１２に示されるように、第２空気流通路６０は、第７区画壁６７によって上下２段に区画されている。第７側板２４ｃ（図１０参照）に形成された第２中継取入口２３ｂは、上段側の第２空気流通路６０ａに連通している。また、給気吹出口５４は、下段側の第２空気流通路６０ｂに連通している。
【００７８】
以上のように、第１中継取入口２２ｂ及び排気吹出口５２は第６側板２４ｂに形成され、第２中継取入口２３ｂ及び給気吹出口５４は第７側板２４ｃに形成されているので、第１の実施の形態と同様に、第２ケーシング１１Ｂの第５，第８側板２４ａ，２４ｄには、空気が流通する開口は形成されず、ダクトも接続されない。そのため、第５，第８側板２４ａ，２４ｄの周辺にはダクト等を配置するためのスペースは不要であり、熱交換器３１，３２に対する点検や交換等のメンテナンスは、第５側板２４ａ及び第８側板２４ｄの一方を取り外すことによって行うことができる。
【００７９】
また、本実施の形態においても、調湿装置の設置態様を、図９に示されるように構成することができる。特に、本実施の形態では、第１ユニット１０Ａを室外に配置することで、ファン３４，３５、圧縮機２７等とともにエアフィルタ７１のメンテナンスも室外で行うことができ、当該メンテナンスの間も室内は通常通り使用することができる。
【００８０】
次に、空気流制御機構１３の構成についてより詳細に説明する。
なお、本実施の形態においても、第２ケーシング１１Ｂに形成された通気口８１〜８８や、これを開閉するダンパ４１〜４４の構成は第１の実施の形態と同様である。
また、各ダンパ４１〜４８の開閉パターンも第１の実施の形態と同様である。そして、本実施の形態では、上記ダンパ４１〜４８の開閉パターンの組み合わせによって、図１３に示される態様と、図１４に示される態様とに空気流が切り換えられる。
図１３に示される態様では、第１ケーシング１１Ａ内の第１ファン３４によって外気取入口５１から取り入れられた室外空気が、第１中継吹出口２２ａ及び第１中継取入口２２ｂを介して第２ケーシング１１Ｂ内に流入し、第１熱交換室５７を通過して給気吹出口５４から排出される。また、第１ケーシング１１Ａ内の第２ファン３５によって内気取入口５３から取り入れられた室内空気が、第２中継吹出口２３ａ及び第２中継取入口２３ｂを介して第２ケーシング１１Ｂ内に流入し、第２熱交換室５８を通過して排気吹出口５２から排出される。
【００８１】
また、図１４に示される態様では、第１ケーシング１１Ａ内の第１ファン３４によって外気取入口５１から取り入れられた室外空気が、第１中継吹出口２２ａ及び第１中継取入口２２ｂを介して第２ケーシング１１Ｂ内に流入し、第２熱交換室５８を通過して給気吹出口５４から排出される。また、第１ケーシング１１Ａ内の第２ファン３５によって内気取入口５３から取り入れられた室内空気が、第２中継吹出口２３ａ及び第２中継取入口２３ｂを介して第２ケーシング１１Ｂ内に流入し、第１熱交換室５７を通過して排気吹出口５２から排出される。
【００８２】
図１５は、図１３に示される空気流の態様に対応した、第１，第２空気流通路５９，６０と第１，第２熱交換室５７，５８との間の空気流れを示す説明図である。
図１５（ａ）に示されるように、第１中継取入口２２ｂから下段側の第１空気流通路５９ｂを流れる空気流は、第３区画壁６３の下段前側に形成された通気口８１を介して第１熱交換室５７に流入する。その後、当該空気流は、第１熱交換器３１を通過し、第４区画壁６４の下段前側に形成された通気口８７を介して下段側の第２空気流通路６０ｂに流入し、給気吹出口５４から室内に排出される。
【００８３】
同時に、図１５（ｂ）に示されるように、第２中継取入口２３ｂから上段側の第２空気流通路６０ａを流れる空気流は、第４区画壁６４の上段後側に形成された通気口８６を介して第２熱交換室５８に流入する。その後、当該空気流は、第２熱交換器３２を通過し、第３区画壁６３の上段後側に形成された通気口８４を介して上段側の第１空気流通路５９ａに流入し、排気吹出口５２から室外に排出される。
【００８４】
図１６は、図１４に示される空気流の態様に対応した、第１，第２空気流通路５９，６０と第１，第２熱交換室５７，５８との間の空気の流れを示す説明図である。
図１６（ａ）に示されるように、第１中継取入口２２ｂから下段側の第１空気流通路５９ｂを流れる空気流は、第３区画壁６３の下段後側に形成された通気口８２を介して第２熱交換室５８に流入する。その後、当該空気流は、第２熱交換器３２を通過し、第４区画壁６４の下段後側に形成された通気口８８を介して下段側の第２空気流通路６０ｂに流入し、給気吹出口５４から室内に排出される。
【００８５】
同時に、図１６（ｂ）に示されるように、第２中継取入口２３ｂから上段側の第２空気流通路６０ａを流れる空気流は、第４区画壁６４の上段前側に形成された通気口８５を介して第１熱交換室５７に流入する。その後、当該空気流は、第１熱交換器３１を通過し、第３区画壁６３の上段前側に形成された通気口８３を介して上段側の第１空気流通路５９ａに流入し、排気吹出口５２から室外に排出される。
【００８６】
図１３及び図１５に示される空気流の態様と図１４及び図１６に示される空気流の態様とは、図４に示される冷媒循環方向の切換動作（第１及び第２の冷凍サイクル動作）に合わせて所定時間毎（例えば、３分毎）に交互に繰り返して実行される。これによって調湿装置１０は、除湿運転と加湿運転とを行うことが可能となっている。
【００８７】
（除湿運転の説明）
本実施の形態における除湿運転について説明する。図４（ａ）に示される第１の冷凍サイクル動作では、圧縮機２７から吐出された冷媒が、第１熱交換器３１で放熱して凝縮し、その後に電動膨張弁２８へ送られて減圧される。減圧された冷媒は、第２熱交換器３２で吸熱して蒸発し、その後に圧縮機２７に吸入されて圧縮され、再び吐出される。したがって、第１の冷凍サイクル動作では、第１熱交換器３１が凝縮器として機能し、第２熱交換器３２が蒸発器として機能する。
【００８８】
このとき、図１４及び図１６に示されるように、外気取入口５１から取り入れられた室外空気ＯＡは第２熱交換器３２を通過し、熱交換後の空気ＳＡが給気吹出口５４から排出される。また、内気取入口５３から取り入れられた室内空気ＲＡは第１熱交換器３１を通過し、熱交換後の空気ＥＡが排気吹出口５２から排出される。具体的に、凝縮器としての第１熱交換器３１においては、吸着剤に吸着されていた水分が冷媒の熱によって脱離し、室内空気ＲＡに取り込まれる。これにより、第１熱交換器３１の吸着剤が再生されるとともに、室内空気ＲＡが加湿され、加湿後の空気ＥＡが排気吹出口５２から室外に排出される。また、蒸発器としての第２熱交換器３２においては、冷媒の吸熱によって室外空気ＯＡに含まれる水分が吸着剤に吸着（回収）され、室外空気ＯＡが除湿される。除湿後の空気ＳＡは給気吹出口５４から室内に供給される。
【００８９】
図４（ｂ）に示される第２の冷凍サイクル動作では、圧縮機２７から吐出された冷媒が、第２熱交換器３２で放熱して凝縮し、その後に電動膨張弁２８へ送られて減圧される。減圧された冷媒は、第１熱交換器３１で吸熱して蒸発し、その後に圧縮機２７へ吸入されて圧縮され、再び吐出される。したがって、第２の冷凍サイクル動作では、第１熱交換器３１が蒸発器として機能し、第２熱交換器３２が凝縮器として機能する。
【００９０】
このとき、図１３及び図１５に示されるように、外気取入口５１から取り入れられた室外空気ＯＡは第１熱交換器３１を通過し、熱交換後の空気ＳＡが給気吹出口５４から排出される。内気取入口５３から取り入れられた室内空気ＲＡは第２熱交換器３２を通過し、熱交換後の空気ＥＡが排気吹出口５２から排出される。具体的に、凝縮器としての第２熱交換器３２においては、吸着剤に吸着されていた水分が冷媒の熱によって脱離し、室内空気ＲＡに取り込まれる。これにより、第２熱交換器３２の吸着剤が再生されるとともに、室内空気ＲＡが加湿され、加湿後の空気ＥＡは排気吹出口５２から室外に排出される。また、蒸発器としての第１熱交換器３１においては、冷媒の吸熱によって室外空気ＯＡに含まれる水分が吸着剤に吸着（回収）され、室外空気ＯＡが除湿される。除湿後の空気ＳＡは、給気吹出口５４から室内に供給される。
【００９１】
（加湿運転の説明）
次に、加湿運転について説明する。図４（ａ）に示される第１冷凍サイクル動作では、第１熱交換器３１が凝縮器として機能し、第２熱交換器３２が蒸発器として機能する。このとき、図１３及び図１５に示されるように、外気取入口５１から取り入れられた室外空気ＯＡは第１熱交換器３１を通過し、熱交換後の空気ＳＡが給気吹出口５４から排出される。内気取入口５３から取り入れられた室内空気ＲＡは第２熱交換器３２を通過し、熱交換後の空気ＥＡが排気吹出口５２から排出される。具体的に、凝縮器としての第１熱交換器３１においては、吸着剤に吸着されていた水分が冷媒の熱によって脱離し、室外空気ＯＡに取り込まれる。これにより、吸着剤が再生されるとともに室外空気ＯＡが加湿され、加湿後の空気ＳＡが給気吹出口５４から室内に供給される。また、蒸発器としての第２熱交換器３２においては、冷媒の吸熱によって室内空気ＲＡに含まれる水分が吸着剤に吸着（回収）され、室内空気ＲＡが除湿される。除湿後の空気ＥＡは、排気吹出口５２から室外へ排出される。
【００９２】
図４（ｂ）に示される第２の冷凍サイクル動作では、第１熱交換器３１が蒸発器として機能し、第２熱交換器３２が凝縮器として機能する。このとき、図１４及び図１６に示されるように、外気取入口５１から取り入れられた室外空気ＯＡは第２熱交換器３２を通過し、熱交換後の空気ＳＡが給気吹出口５４から排出される。内気取入口５３から取り入れられた室内空気ＲＡは第１熱交換器３１を通過し、熱交換後の空気ＥＡが排気吹出口５２から排出される。具体的に、凝縮器としての第２熱交換器３２においては、吸着剤に吸着されていた水分が冷媒の熱によって脱離し、室外空気ＯＡに取り込まれる。これにより、吸着剤が再生されるとともに室外空気ＯＡが加湿され、加湿後の空気ＳＡが給気吹出口５４から室内に供給される。また、蒸発器としての第１熱交換器３１においては、冷媒の吸熱によって室内空気ＲＡに含まれる水分が吸着剤に吸着（回収）され、室内空気ＲＡが除湿される。除湿後の空気ＥＡは、排気吹出口５２から室外へ排出される。
【００９３】
本発明は、上記実施の形態に限定されるものではなく、特許請求の範囲に記載された発明の範囲内において適宜変更することができる。
例えば、第１の実施の形態では、図１に示されるように、外気取入口５１及び内気取入口５３が、それぞれ第６側板２４ｂ及び第７側板２４ｃに形成されているが、いずれも第８側板２４ｄに形成することができる。また、第２の実施の形態では、図１０に示されるように、排気吹出口５２及び給気吹出口５４は、それぞれ第６側板２４ｂ及び第７側板２４ｃに形成されているが、いずれも第８側板２４ｄに形成することができる。
また、第２の実施の形態において、第１，第２ファン３４，３５は、吸込口３８ａが設けられた側面が第２側板２１ｂ及び第３側板２１ｃと平行になるように配置されていてもよい。この場合においても、第１，第２ファン３４，３５と第１ケーシング１１Ａの第２，第３側板２１ｂ，２１ｃとの間には空気引込空間７０が形成されていることが好ましい。
【００９４】
また、空気流制御機構１３における具体的な空気流の態様についても適宜変更可能である。例えば、上記各実施の形態では、上側の空気流通路５９ａ，６０ａから熱交換室５７，５８を通過した空気流は同じく上側の空気流通路６０ａ，５９ａに流入し、下側の空気流通路５９ｂ，６０ｂから熱交換室５７．５８を通過した空気流は、同じく下側の空気流通路６０ｂ，５９ｂに流入するように構成されているが、これとは異なり、上側の空気流通路５９ａ，６０ａから熱交換室５７，５８を通過した空気流は下側の空気流通路６０ｂ，５９ｂに流入し、下側の空気流通路５９ｂ，６０ｂから熱交換室５７，５８を通過した空気流は上側の空気流通路６０ａ，５９ａに流入するように構成されていてもよい。
【符号の説明】
【００９５】
１０  調湿装置
１０Ａ  第１ユニット（機能ユニット）
１０Ｂ  第２ユニット（調湿ユニット）
１１Ａ  第１ケーシング
１１Ｂ  第２ケーシング
１２  冷媒回路
２６  四路切換弁（切換機構）
２７  圧縮機
２９  冷媒配管
３１  第１熱交換器（吸着熱交換器）
３２  第２熱交換器（吸着熱交換器）
３４  第１ファン
３５  第２ファン
５１  外気取入口
５２  排気吹出口
５３  内気取入口
５４  給気吹出口
７１  エアフィルタ
Ｄ５  外気用ダクト
Ｄ６  内気用ダクト
【図１】
2014038471.tif 000003
【図２】
2014038471.tif 000004
【図３】
2014038471.tif 000005
【図４】
2014038471.tif 000006
【図５】
2014038471.tif 000007
【図６】
2014038471.tif 000008
【図７】
2014038471.tif 000009
【図８】
2014038471.tif 000010
【図９】
2014038471.tif 000011
【図１０】
2014038471.tif 000012
【図１１】
2014038471.tif 000013
【図１２】
2014038471.tif 000014
【図１３】
2014038471.tif 000015
【図１４】
2014038471.tif 000016
【図１５】
2014038471.tif 000017
【図１６】
2014038471.tif 000018
【図１７】
2014038471.tif 000019
【図１８】
2014038471.tif 000020
【国際調査報告】
2014038471.tif 000021
2014038471.tif 000022
2014038471.tif 000023
2014038471.tif 000024